(57)【要約】【課題】  従来のダイクロイックミラー付きハロゲン電球の形状を変えることなくピン挿し型ハロゲン電球の交換を可能にしたダイクロイックミラー付きアダプターソケットを提供すること。【解決手段】  本考案はダイクロイックミラー付きハロゲン電球のソケット内部下方に、ピン挿し型ハロゲン電球のピンを挟持し嵌挿を自在にするため、上下に鍔を有する金属製バネ状の可動接点片と前記接点片を支持する支持体を組み込むことにより、ピン挿し型ハロゲン電球の交換を可能にしたダイクロイックミラー付きアダプターソケットである。【選択図】図１
0003124564.tif 000002
【実用新案登録請求の範囲】
【請求項１】
ダイクロイックミラー付きハロゲン電球のソケットにおいて、該ソケット内部下方に、ピン挿し型ハロゲン電球のピンの嵌挿を自在にするピン孔部を形成し、該ピン孔部に金属製バネ状の可動接点片を設けて、前記ピンを挟持すると共に上下に鍔を有するクリップを、溝部を形成する碍子の該溝部に嵌挿し、該碍子を収納する空間部を形成して成るハロゲン電球の交換を可能とするダイクロイックミラー付きアダプターとしての機能を有することを特徴とするソケット。
【考案の詳細な説明】
【技術分野】
【０００１】  本考案は、従来のダイクロイックミラー付きハロゲン電球の形状を維持しつつ、口金のついたダイクロイックミラー専用照明器具を変えることなく螺合する口金を持ち、ピン挿し型ハロゲン電球の交換を可能にしたダイクロイックミラー付きアダプターソケットに関するものである。
【背景技術】
【０００２】  従来のダイクロイックミラー付きハロゲン電球の形状を図２・図３を参照に詳述する。【０００３】  現在、ダイクロイックミラー付きハロゲン電球図２は前面ガラス１・ダイクロイックミラー２・ハロゲン電球３・ソケット４・口金５からできている製品及びダイクロイックミラー２・ハロゲン電球３・ソケット４・口金５からできている製品と、また図３の前面ガラス１・ダイクロイックミラー２・ハロゲン電球３・口金６からできている製品がある。サイズ及び種類に関しての詳細は以下の通りである。【０００４】  ダイクロイックミラー付きハロゲン電球図２に関しては、１１０Ｖ仕様の場合、ダイクロイックミラー２は径３５ｍｍから径７０ｍｍ、口金５はＥ１１、消費電力は２５Ｗから１００Ｗがある。１２Ｖ仕様の場合、ダイクロイックミラー２は径３５ｍｍから径７０ｍｍ、口金５はＥＺ１０、消費電力は１０Ｗから１００Ｗがある。【０００５】  ダイクロイックミラー付きハロゲン電球図３に関しては、ダイクロイックミラー２は径３５ｍｍから径５０ｍｍ、口金６はＧＵ５．３・ＧＸ５．３・ＧＺ４、消費電力は１０Ｗから５０Ｗがある。【０００６】  図２・図３のダイクロイックミラー２に関しては、標準タイプとネオジウムタイプと高色温度タイプがあり、角度には狭角・中角・広角がある。
【考案の開示】
【考案が解決しようとする課題】
【０００７】  従来のダイクロイックミラー付きハロゲン電球は図２の前面ガラス１・ダイクロイックミラー２・ハロゲン電球３・ソケット４・口金５からできている製品及びダイクロイックミラー２・ハロゲン電球３・ソケット４・口金５からできている製品と、図３の前面ガラス１・ダイクロイックミラー２・ハロゲン電球３・口金６からできている製品があり、どれも一体型で販売されているためコスト高及び産業廃棄物処理の問題は避けられない。本考案は、ダイクロイックミラー付きハロゲンランプ図２の形状を変えることなくコストを極力おさえ、産業廃棄物の減少を念頭に置き、またダイクロイックミラー専用照明器具の継続使用を可能にする、ピン挿し型ハロゲン電球のみを交換できる図１のダイクロイックミラー付きアダプターソケットを提供することを課題とする。
【課題を解決するための手段】
【０００８】  上記課題の解決のため、ダイクロイックミラー付きハロゲン電球のソケット内部下方に、ピン挿し型ハロゲン電球のピンの嵌挿を自在にするピン孔部を形成し、該ピン孔部に金属製バネ状の可動接点片を設けて前記ピンを挟持すると共に上下に鍔を有するクリップと、溝部を形成する碍子の該溝部に嵌挿し、該碍子を収納する。
【考案の効果】
【０００９】  上記解決手段により、ダイクロイックミラー付きハロゲン電球図２・図３の交換の際のコストは、ピン挿し型ハロゲン電球のみの交換により今までの２分の１から３分の１におさえられるようになる。そのため店舗数の拡大・商品の充実等がはかれるようになり、しいては経済の活性化につながる。【００１０】  再生できず産業廃棄物になるダイクロイックミラー付きハロゲン電球図２・図３を、使い捨てではなくピン挿し型ハロゲン電球のみを交換する事により、３５ｇから５０ｇあった産業廃棄物が１ｇから３ｇに減り１０分の１以上のごみの量の削減になり環境問題にも貢献していくことができるようになる。【００１１】  ソケット外部に使用頻度が高くても耐えられダイクロイックミラー専用照明器具の口金と螺合する口金５を具備することで使用を継続することができる。【００１２】  円筒状のピンの形状にそった金属の弾性を利用した板バネ状の可動接点片としての役割を有するクリップ７を使用する事により、接触面が広くなり安定した電力の供給ができ、嵌挿時の摩擦力が強化され安全性も向上する。【００１３】  本考案のクリップ７とクリップ７を支持する支持体９はリード線付き碍子ソケット図７にも組み込む事ができ多様な照明器具の使用が可能になる。
【考案を実施するための最良の形態】
【００１４】  本考案は、コストの削減及びそれにともなう店舗数の拡大・商品の充実をはかり、経済の活性化、産業廃棄物による環境問題への配慮、また既設のダイクロイックミラー専用照明器具の継続使用を目的とした、従来の一体型のダイクロイックミラー付きハロゲン電球から、ピン挿し型ハロゲン電球の交換を可能にしたダイクロイックミラー付きアダプターソケットを提供することである。
【実施例】
【００１５】  以下、本考案の実施例の図面を参照しながら符号にそって詳述する。図１は本考案のダイクロイックミラー付きアダプターソケットを示す部分切欠断面図、図２は従来のダイクロイックミラー付きハロゲン電球（ネジ口金）を示す斜視図、図３は従来のダイクロイックミラー付きハロゲン電球（ピン口金）を示す斜視図、図４は本考案の上下に鍔を有するクリップを示す斜視図、図５は本考案のクリップを支持する支持体を示す斜視図、図６は本考案のアダプターソケットの実施例を示す分解斜視図、図７は本考案のクリップを組み込んだリード線付き碍子ソケットを示す部分切欠断面図である。【００１６】  図２におけるソケット４において内部下方に、ピン挿し型ハロゲン電球のピンの嵌挿を自在にするピン孔部を形成し、該ピン孔部に金属の弾性を利用した、先端部を円筒状のピンの形状に沿わせた上、一部を切断し、ピンを嵌挿の際くぼみを支点として円筒部が伸縮してピンを挟持する可動接点片としての役割を有すると共に、上下に碍子に固定させるための鍔を有するクリップ７を、溝部１０を形成する碍子９の該溝部１０に嵌挿する。【００１７】  本考案におけるクリップ７の形状は、金属片の片側を平面にし、中央に窪みを設け、先端部は、ピンの挟持のため丸みをつけ一部はバネの弾性を利用するため割れている。また、クリップ７の下部と丸みをつけた先端部には、支持体９の溝１０に固定させるため鍔８を設けてある。【００１８】  図６におけるソケット４と図２におけるダイクロイックミラー２と図２における口金５を組み合わせ図１の本考案のダイクロイックミラー付きアダプターソケットになり、ピン挿しハロゲン電球をクリップ７の丸みをつけ一部が割れている先端部に嵌挿する。【００１９】  本考案は上述した実施例の他、図７に示すようにリード線付き碍子ソケットにも利用が可能である。
【図面の簡単な説明】
【００２０】
【図１】本考案のダイクロイックミラー付きアダプターソケットを示す部分切欠断面図である。
【図２】従来のダイクロイックミラー付きハロゲン電球（ネジ口金）を示す斜視図である。
【図３】従来のダイクロイックミラー付きハロゲン電球（ピン口金）を示す斜視図である。
【図４】本考案の上下に鍔を有するクリップを示す斜視図である。
【図５】本考案のクリップを支持する支持体を示す斜視図である。
【図６】本考案のアダプターソケットの実施例を示す分解斜視図である。
【図７】本考案のクリップを組み込んだリード線付き碍子ソケットを示す部分切欠断面図である。
【図面の簡単な説明】
【００２１】  １    前面ガラス
２    ダイクロイックミラー
３    ハロゲン電球
４    ソケット
５    ネジ口金
６    ピン口金
７    クリップ
８    鍔
９    ７を支える支持体
１０    溝部
【図１】
0003124564.tif 000003
【図２】
0003124564.tif 000004
【図３】
0003124564.tif 000005
【図４】
0003124564.tif 000006
【図５】
0003124564.tif 000007
【図６】
0003124564.tif 000008
【図７】
0003124564.tif 000009